(57)【特許請求の範囲】
【請求項１】
周囲の温度の変化に対応して発振周波数が変化し、周囲の温度と発振周波数とが１対１に対応する特性を有する発振手段で発振された周波数の信号に基づいて、送信用の信号を形成し、当該信号を無線送信する送信機からの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、目的とする周波数の信号を形成するＰＬＬ（Phase Lock Loop）回路部と、
前記ＰＬＬ回路部で形成する信号の周波数を、前記受信手段で受信する前記信号の周波数に対応して予め決められる所定範囲で変えるように制御する制御部と、
前記受信手段で受信された前記信号と前記ＰＬＬ回路部で形成された信号とを混合する混合回路部と、
前記混合回路部で混合された信号の受信信号強度を検出する信号強度検出部と、
前記信号強度検出部で検出された前記受信信号強度と当該受信信号強度の検出対象となった信号に前記混合回路部で混合された前記ＰＬＬ回路部からの信号の周波数とを対応付けて管理し、前記受信信号強度が最も高いときの信号に混合された前記ＰＬＬ回路部からの信号の周波数を、受信した信号の周波数として検出する検出部と
からなることを特徴とする無線受信機。
【請求項２】
周囲の温度の変化に対応して発振周波数が変化し、周囲の温度と発振周波数とが１対１に対応する特性を有する発振手段で発振された周波数の信号に基づいて、送信用の信号を形成し、当該信号を無線送信する送信機からの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、受信信号を中間周波信号に変換するための信号を形成する信号形成部と、
前記受信手段で受信された前記信号と前記信号形成部からの信号とを混合して、中間周波信号を形成する混合回路部と、
前記混合回路部で混合された前記中間周波信号の周波数をカウントすることにより、当該中間周波信号の周波数を特定するカウント部と、
前記カウント部で特定された前記中間周波信号の周波数に基づいて、前記受信手段で受信した信号の周波数を検出する検出部と
からなることを特徴とする無線受信機。
【請求項３】
複数の送信機と１つの受信機とからなる無線送受信システムであって、
前記複数の送信機のそれぞれは、
周囲の温度の変化に対応して発振周波数が変化し、周囲の温度と発振周波数とが１対１に対応する特性を有する発振手段と、
前記発振手段で発振された周波数の信号に基づいて、送信機毎に取り得る周波数範囲が重なり合うことが無いように周波数範囲をシフトさせた送信用の信号を形成する形成手段と、
前記形成手段で形成された前記信号を無線送信する送信手段と
を備え、
前記受信機は、
前記複数の送信機のそれぞれからの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、目的とする周波数の信号を形成するＰＬＬ（Phase Lock Loop）回路部と、
前記ＰＬＬ回路部で形成する信号の周波数を、前記受信手段で受信する前記信号の周波数に対応して、前記複数の送信機ごとに予め決められる所定範囲で変えるように制御する制御部と、
前記受信手段で受信された前記信号と前記ＰＬＬ回路部で形成された信号とを混合する混合回路部と、
前記混合回路部で混合された信号の受信信号強度を検出する信号強度検出部と、
前記信号強度検出部で検出された前記受信信号強度と当該受信信号強度の検出対象となった信号に前記混合回路部で混合された前記ＰＬＬ回路部からの信号の周波数とを対応付けて管理し、前記受信信号強度が最も高いときの信号に混合された前記ＰＬＬ回路部からの信号の周波数を、受信した信号の周波数として検出する検出部と
からなる無線送受信システム。
【請求項４】
複数の送信機と１つの受信機とからなる無線送受信システムであって、
前記複数の送信機のそれぞれは、
周囲の温度の変化に対応して発振周波数が変化し、周囲の温度と発振周波数とが１対１に対応する特性を有する発振手段と、
前記発振手段で発振された周波数の信号に基づいて、送信機毎に取り得る周波数範囲が重なり合うことが無いように周波数範囲をシフトさせた送信用の信号を形成する形成手段と、
前記形成手段で形成された前記信号を無線送信する送信手段と
を備え、
前記受信機は、
前記複数の送信機のそれぞれからの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、受信信号を中間周波信号に変換するための信号を形成する信号形成部と、
前記受信手段で受信された前記信号と前記信号形成部からの信号とを混合して、中間周波信号を形成する混合回路部と、
前記混合回路部で混合された前記中間周波信号の周波数をカウントすることにより、当該中間周波信号の周波数を特定するカウント部と、
前記カウント部で特定された前記中間周波信号の周波数に基づいて、前記受信手段で受信した信号の周波数を検出する検出部と
からなることを特徴とする無線送受信システム。
【発明の詳細な説明】
【技術分野】
【０００１】
この発明は、温度情報を送信するための無線送信機、温度情報を受信するための無線受信機、これらの機器からなるシステムに関する。
【背景技術】
【０００２】
例えば、室内空調機を適切に制御するために、室内の所定地点の温度情報を空調制御装置などの機器に無線通信により通知することが行われている。この場合、温度情報の送信機は温度センサなどで温度情報を収集し、自身のＩＤ（識別情報）とともに温度情報を電文情報（ペイロード）として無線周波数に乗せて（変調して）送信する。一方、受信機は送信機からの信号を受信して、これを復調し、受信機のＩＤと電文情報とを抽出して、どの地点はどのような温度であるのかを把握する。このような方法が従来の一般的な方法である。
【０００３】
しかしながら、上述した従来の一般的な方法の場合、送信機側にはＩＤや電文情報を無線周波数の信号に変調する変調回路が必要である。また、受信機側には無線周波数の信号を復調する復調回路が必要である。このため、送信機、受信機の回路規模の大規模化や消費電力の増加を招くといった問題がある。また、回路増設による送信機、受信機のコストアップにもつながると言う問題もある。
【０００４】
このため、後に記す特許文献１には、温度検出部１１により検出された温度に応じたチャンネル番号の搬送波を送受することにより、変調、復調を行うことなく、温度情報を送受できるようにする温度送信装置、温度受信装置の発明が開示されている。この発明の場合、送受される搬送波の別により、温度情報を送受することができる。したがって、送信機には変調回路を設ける必要がなく、また、受信機には復調回路を設ける必要がないので、送信機と受信機との双方の回路構成を単純化することができる。
【先行技術文献】
【特許文献】
【０００５】
【特許文献１】特開平７−２７４２６３号公報
【発明の概要】
【発明が解決しようとする課題】
【０００６】
ところで、上述した特許文献１に記載の技術の場合、送信機側には温度を検出するための例えばサーミスタなどを備えた温度検出部（温度センサ）が必要であるが、基本的に温度検出部の更なる簡略化は難しい。また、特許文献１に記載の技術の場合、送信機側には検出した温度に応じた周波数の搬送波を形成するために制御部やＶＣＯ（Voltage Controlled Oscillator）等の可変周波数発振器も必要になる。
【０００７】
この場合の制御部は、温度検出部の検出結果に応じて、ＶＣＯ等の可変周波数発振器を制御するものであり、その構成如何によっては回路規模の増大を招く可能性がある。また、ＶＣＯなどのいわゆる自励発振器は周囲の温度変化の影響を受けやすく、安定に目的とする周波数の信号を発振できない場合もあると考えられる。
【０００８】
以上のことに鑑み、この発明は、送信機近傍の温度情報を検出して送信機が受信機に送信する場合において、送信機と受信機との双方の回路規模を大きくすることなく、精度良く安定に温度情報の送受を行えるようにすることを目的とする。
【課題を解決するための手段】
【０００９】
上記課題を解決するため、請求項１に記載の発明の無線受信機は、
周囲の温度の変化に対応して発振周波数が変化し、周囲の温度と発振周波数とが１対１に対応する特性を有する発振手段で発振された周波数の信号に基づいて、送信用の信号を形成し、当該信号を無線送信する送信機からの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、目的とする周波数の信号を形成するＰＬＬ（Phase Lock Loop）回路部と、
前記ＰＬＬ回路部で形成する信号の周波数を、前記受信手段で受信する前記信号の周波数に対応して予め決められる所定範囲で変えるように制御する制御部と、
前記受信手段で受信された前記信号と前記ＰＬＬ回路部で形成された信号とを混合する混合回路部と、
前記混合回路部で混合された信号の受信信号強度を検出する信号強度検出部と、
前記信号強度検出部で検出された前記受信信号強度と当該受信信号強度の検出対象となった信号に前記混合回路部で混合された前記ＰＬＬ回路部からの信号の周波数とを対応付けて管理し、前記受信信号強度が最も高いときの信号に混合された前記ＰＬＬ回路部からの信号の周波数を、受信した信号の周波数として検出する検出部と
からなることを特徴とする。
【００１２】
また、請求項２に記載の発明の無線受信機は、
周囲の温度の変化に対応して発振周波数が変化し、周囲の温度と発振周波数とが１対１に対応する特性を有する発振手段で発振された周波数の信号に基づいて、送信用の信号を形成し、当該信号を無線送信する送信機からの前記信号を受信する受信手段と、
前記受信手段で受信された前記信号の周波数を検出する検出手段と、
前記検出手段により検出された前記信号の周波数と前記送信機の前記発振手段の発振周波数と周囲の温度とに関する特性とに基づいて、前記送信機の周囲の温度を特定する特定手段と
を備え、
前記検出手段は、
基準発振手段からの基準信号に基づいて、受信信号を中間周波信号に変換するための信号を形成する信号形成部と、
前記受信手段で受信された前記信号と前記信号形成部からの信号とを混合して、中間周波信号を形成する混合回路部と、
前記混合回路部で混合された前記中間周波信号の周波数をカウントすることにより、当該中間周波信号の周波数を特定するカウント部と、
前記カウント部で特定された前記中間周波信号の周波数に基づいて、前記受信手段で受信した信号の周波数を検出する検出部と
からなることを特徴とする。
【発明の効果】
【００１５】
この発明によれば、送信機と受信機との双方の回路規模を大きくすることなく、送信機と受信機との間において、送信機近傍の温度情報を精度良く安定に無線により送受することができる。
【図面の簡単な説明】
【００１６】
【図１】この発明の無線送信機の一実施形態が適用された無線送信機１を説明するためのブロック図である。
【図２】図１に示した無線送信機１の基準発振器１１の発振周波数と周囲の温度とに関する特性を説明するための図である。
【図３】この発明の無線受信機の一実施形態が適用された無線受信機２を説明するためのブロック図である。
【図４】図１に示した無線送信機１から送信される信号と、図３に示した無線受信機２において行われる処理とを説明するための図である。
【図５】図３に示した無線受信機２において行われる処理を説明するためのフローチャートである。
【発明を実施するための形態】
【００１７】
以下、図を参照しながら、この発明による無線送信機、無線受信機、無線送受信システムの一実施形態について説明する。
【００１８】
［無線送信機１の構成］
まず、この実施形態の無線送信機１について説明する。図１は、この実施形態の無線送信機（以下、単に送信機という。）１の構成例を説明するためのブロック図である。この実施形態の送信機１は、図１に示すように、基準発振器１１、ＰＬＬ回路部１２、アンプ回路（増幅回路）１３、フィルタ回路１４、送信アンテナ１５を備えている。ＰＬＬ回路部１２は、図１に示したように、位相比較器１２１、ＬＰＦ（Low Pass Filter）１２２、ＶＣＯ（Voltage Controlled Oscillator）１２３、分周器１２４からなるものである。なお、分周器１２４において、「１／Ｎ」との記載は分周比を示すものである。
【００１９】
そして、この実施形態の図１に示した送信機１において、基準発振器１１が重要な特徴を有するものである。すなわち、基準発振器１１は、周囲の温度変化に対応して、温度が上昇すれば発振周波数も単調増加し、周囲の温度と発振周波数の関係において変曲点を形成しないという性質を有するものである。換言すれば、基準発振器１１は、周囲の温度と発振周波数とが１対１に対応するという特性（周波数温度特性）を有するものである。
【００２０】
図２は、発振器の周波数温度特性について説明するための図である。図２において、横軸は温度を示し、縦軸は発振周波数を示している。そして、図２において実線のグラフＡは、図１に示した送信機１の基準発振器１１の特性を示している。また、図２において点線のグラフＢは、基準発振器１１以外の発振器の特性の一例を示している。
【００２１】
図２において点線のグラフＢで示した特性を有する発振器の場合、例えば、周波数Ｆ１のときの周囲の温度はＴ１の場合とＴ１´の場合との２つが存在する。このように、点線のグラフＢで示した特性を有する発振器の場合には、図２において周波数Ｆ２から周波数Ｆ１の間においては、同じ周波数に対して少なくとも２つ以上の異なる温度が対応する可能性のある特性となっている。
【００２２】
これに対して、図２において実線のグラフＡで示した特性を有する送信機１の基準発振器１１の場合には、周囲の温度変化に対して発振周波数が単調増加し、変曲点は無く、必ず周囲の温度と発振周波数とが１対１に対応している。このように、実線のグラフＡで示した特性を有する送信機１の基準発振器１１の場合には、基準発振器１１の発振周波数が分かれば、基準発振器１１（送信機１）の近傍の温度を一意に特定することができるようになっている。
【００２３】
このため、この実施形態の送信機１においては、基準発振器１１において発生させた発振周波数の信号に基づいて送信用の信号を形成し、この形成した信号を変調することなく、そのまま送信するようにしている。しかし、複数の場所にこの実施形態の送信機１を配置して、それぞれの場所の温度を受信側に通知するようにしたい場合もある。この場合、それぞれの場所に設置されるそれぞれの送信機１が同じ周波数の送信信号を用いたのでは、受信側でそれぞれの場所の温度情報を個別に把握することができない。そこで、この実施形態の送信機１においては、ＰＬＬ回路部１２の機能により、異なる場所に設置される送信機毎に、分周器１２４の分周比を変えることにより用いる送信信号の周波数帯域を異ならせるようにしている。
【００２４】
ここで、ＰＬＬ回路部１２を含めた送信機１の動作について説明する。基準発振器１１からの発振周波数の信号ａはＰＬＬ回路部１２の位相比較器１２１に供給される。また、位相比較器１２１には、ＶＣＯ１２３からの出力信号ｃの周波数が分周器１２４において１／Ｎ（Ｎ分の１）に分周された信号ｂも供給される。位相比較器１２１は、基準発振器１１からの信号ａと分周器１２４からの信号ｂとの位相を比較し、両方の位相が一致するように（両方の周波数が同じになるように）、ＶＣＯ１２３を制御するための電圧制御信号を形成し、これをＬＰＦ１２２を通じてＶＣＯ１２３に供給する。
【００２５】
ＬＰＦ１２２は位相比較器１２１からの電圧制御信号の不要な高域成分を除去するものである。これにより、ＶＣＯ１２３は、位相比較器１２１からの電圧制御信号により制御され、基準発振器１１からの発振周波数の信号ａに基づくと共に、分周器１２４の分周比に応じて形成される目的とする周波数の送信用の信号を発生させる。そして、ＶＣＯ１２３からの発振信号（送信用の信号）は、アンプ回路１３において所定のレベルにまで増幅された後に、目的とする帯域の周波数成分のみを通過させるフィルタ回路１４を通じて送信アンテナ１５に供給され、この送信アンテナ１５を通じて放射（送信）される。
【００２６】
これにより、図２において実線のグラフＡで示したような周囲の温度と発振周波数とが１対１に対応する基準発振器１１からの発振信号に基づいてＰＬＬ回路部１２で形成さえる送信用の信号が、後述する受信機に向けて送信するようにされる。この場合、基準発振器１１は、周囲の温度と発振周波数とが１対１に対応する特性を有しているので、周囲の温度情報を通知する情報を含んだものとなっている。以上が、この実施形態の送信機１の基本的な動作である。
【００２７】
そして、上述もしたように、図１に示したように構成される送信機１を複数の場所に設置し、それぞれの場所の温度を受信機側に通知するようにしたい場合もある。そこで、設置場所の異なる送信機１毎にＰＬＬ回路部１２の分周器１２４の分周比を異ならせることにより、基準発振器１１からの発振信号に基づいて形成される送信用の信号であっても、その周波数を異ならせるようにする。このようにすることによって、受信側において受信した信号が、どの送信機からの信号であるかを区別することができるようにしている。
【００２８】
そして、図１に示したように構成される送信機１Ａ、１Ｂを用意し、送信機１ＡはＸ地点に、送信機１ＢはＸ地点から離れたＹ地点に設置する場合を考える。そして、同様に構成される送信機１Ａ、１Ｂに搭載されている基準発振器１１が、図２において実線のグラフＡで示した特性を有し、例えば、周囲の温度が２５℃（セ氏２５度）のときに発振周波数が１００ｋＨｚの信号を発生させるものであったする。この場合、Ｘ地点に設置する送信機１Ａの分周器１２４における分周比を１／１００１（Ｎ＝１００１）にすると、ＶＣＯ１２３から出力される信号の周波数は、１００．１ＭＨｚになる。また、Ｙ地点に設置する送信機１Ｂの分周器１２４における分周比を１／１００２（Ｎ＝１００２）にすると、ＶＣＯ１２３から出力される信号の周波数は、１００．２ＭＨｚになる。
【００２９】
このように設置される場所に応じて送信機１の分周器１２４における分周比を異ならせることにより、設置される場所の異なる送信機１毎に送信用の信号の取り得る周波数範囲（周波数帯域）が重なり合うことが無いように、周波数範囲をシフトさせるようにして送信用の信号を形成することができる。そして、形成される送信用の信号は、基準発振器１１からの発振信号に応じたものであり、基準発振器１１の周波数温度特性を変化させること無く、当該周波数温度特性に応じたものとなる。したがって、受信側においては、当該送信信号の周波数に基づいて、送信元である送信機１の近傍の温度を精度良く認識することができるようにされる。
【００３０】
すなわち、図１を用いて説明したように構成される複数の送信機１を用いて、多数箇所の温度測定を行うようにする場合には、複数の送信機１のそれぞれの送信信号の周波数を基準発振器１１の温度偏差以上に離すようにすることで、複数の送信機１からのそれぞれの温度情報を把握することができるようにされる。
【００３１】
なお、基準発振器１１の温度偏差は、基準発振器１１が認識可能な温度（母集団）に属する各温度と、基準発振器１１が認識可能な温度（母集団）の平均値との差を意味する。したがって、当該差（温度偏差）以上に、複数のそれぞれの送信機１の送信信号の周波数を異なるようにしておくことにより、それぞれの送信機からの送信信号のそれぞれを受信機側で認識することができるようにされる。また、単純に、温度の測定場所の過去の最低温度、最高温度に基づいて、これらを含む範囲で周波数を異ならせるように、複数の送信機１のそれぞれの分周器１２４の分周比を異ならせるなど、種々の方法を用いて、複数の送信機１毎に送信信号の周波数を異ならせる範囲を決めることが可能である。
【００３２】
［無線受信機２の構成］
次に、この実施形態の無線受信機２について説明する。図３は、この実施形態の無線受信機（以下、単に受信機という。）２の構成例を説明するためのブロック図である。この実施形態の受信機２は、図２に示すように、受信アンテナ２１、アンプ回路２２、２５、フィルタ回路２３、２６、ミキサー回路２４、Ａ／Ｄ（analog/digital）変換器２７、制御部２８、基準発振器２９、ＰＬＬ回路部３０を備えている。
【００３３】
制御部２８は、図３に示すように、ＣＰＵ（central Processing Unit）２８１、ＲＯＭ（Read only Memory）２８２、不揮発性メモリ２８３、図示しない時計回路等がＣＰＵバスを通じて接続されて構成されたいわゆるマイクロコンピュータである。ここで、ＣＰＵ２８１は、ＲＯＭ２８２に記憶されているプログラムを読み出して実行することにより、分周器３４の分周比を所定時間間隔で切り換えるようにする分周比切換制御信号を形成して分周器３４に供給したり、詳しくは後述もするが、Ａ／Ｄ変換器２７からのＲＳＳＩ（受信信号強度）と送信機１の基準発振器１１の周波数温度特性とから受信した送信機１からの送信用の信号の周波数を特定したりするなどの処理を行うものである。
【００３４】
また、ＲＯＭ２８２は、ＣＰＵ２８１によって実行される各種のプログラムや処理に必要になるデータ等が予め記録されたものである。また、不揮発性メモリ２８３は、例えばＥＥＰＲＯＭ（Electrically Erasable and Programmable ROM）等の電源非供給時においても記憶を保持することができると共に、記憶情報の書き換えが可能なものである。そして、この実施形態において受信機２の不揮発性メモリ２８３には、例えば図２において実線で示したグラフＡを用いて説明したような送信機１の基準発振器１１の周波数温度特性（周波数温度カーブ情報）が予め記憶保持するようにされている。
【００３５】
また、受信機２の基準発振器２９は、上述した送信機１の基準発振器１１とは異なり、十分に温度補償されたものである。具体的に基準発振器２９は、温度補償型水晶発振器（ＴＣＸＯ：temperature-compensated crystal oscillator）や恒温槽付水晶発振器（ＯＣＸＯ：oven-controlled crystal oscillator）等が用いられる。もちろん、これらは一例であり、十分に温度補償されたものであれば、種々の発振器を用いることが可能である。また、受信機２のＰＬＬ回路部３０は、送信機１のＰＬＬ回路部１２と同様の構成を有するものであり、図３に示すように、位相比較器３１、ＬＰＦ３２、ＶＣＯ３３、分周器３４からなるものである。なお、分周器３０において、「１／Ｎ」との記載は分周比を示すものである。
【００３６】
そして、この実施形態の受信機２は、上述した送信機１から送信された無変調の送信用の信号を受信して、これを詳細に分析することにより、当該送信用の信号の周波数を特定する。そして、受信機２は、特定した周波数に基づいて、当該送信用の信号を送信した送信機１の周囲の温度（送信機１の近傍の温度）を把握する。ここで、受信機２の動作の概要を示せば次のようになる。受信機２においては受信した信号（送信機１からの送信用の信号）に対して、ＰＬＬ回路部３０において一定時間間隔で一定周波数分ずつずらすように形成する信号を混合する。そして、混合後の信号の受信信号強度（ＲＳＳＩ：Received Signal Strength Indication）を検出するようにし、最も強いＲＳＳＩ値を探索することにより、受信した送信機１からの信号の周波数を特定する。
【００３７】
この場合、受信機２は、図２において実線のグラフＡに示したような送信機１の基準発振器１１の周波数温度特性（周波数温度カーブ情報）を予め保持しており、当該特性情報と特定した送信機１からの信号の周波数とを付け合せることにより、受信した信号を送信してきた送信機１の近傍の温度を把握する。
【００３８】
次に、この実施形態の受信機２の動作についてより詳細に説明する。送信機１から送信された送信用の信号は、受信機２の受信アンテナ２１を通じて受信される。受信された信号は、アンプ回路２２において所定のレベルにまで増幅された後、フィルタ回路２３において帯域制限されて余分な周波数帯域の信号が取り除かれた後にミキサー回路２４に供給される。ミキサー回路２４には、ＰＬＬ回路部３０からの信号も供給される。そして、ミキサー回路２４は、受信した信号に対してＰＬＬ回路部３０からの信号を混合して出力する。
【００３９】
ＰＬＬ回路部３０の基本的な構成及び動作は、図１に示した送信機１のＰＬＬ回路部１２と同様である。しかし、送信機１のＰＬＬ回路部１２の分周器１２４の分周比は予め決められたものであるのに対して、受信機２のＰＬＬ回路３０の分周器３４の分周比は、制御部２８の制御により一定時間間隔で一定量ずつ変えられるようにされる。
【００４０】
ここで、制御部２８により制御されるＰＬＬ回路部３０の動作について具体例を示して説明する。送信機１からの送信信号は、基準発振器１１が有する図２の実線のグラフＡで示した周波数温度特性に対応し、例えば、２５℃で１００．１ＭＨｚの周波数の信号であるとする。この場合、受信機２の基準発振器２９は、送信機１の基準発振器１１と同様に１００ｋＨｚの周波数の信号を発振させるものであるが、送信機１の基準発振器１１とは異なり、上述もしたように十分に温度補償されたものである。
【００４１】
そして、受信機２の制御部２８は、予め決められる周波数範囲である例えば、１００．０９０ＭＨｚ〜１００．１１０ＭＨｚまで、１ｍｓｅｃ（ミリ秒）毎に０．００１ＭＨｚ（１ｋＨｚ）分ずつ周波数を変えるように、ＰＬＬ回路部３０の分周器３４の分周比を制御する。したがって、分周器３４の分周比は、１／１０００．９から１／１００１．１までの間において、１ｍｓｅｃ（ミリ秒）毎に０．０１ずつ値を変えるように制御されることになる。
【００４２】
すなわち、図３に示した受信機２のＰＬＬ回路部３０においては、基準発振器２９からの発振信号ａが位相比較器３１に供給される。また、位相比較器３１には、ＶＣＯ３３からの出力信号が分周器３４において１／Ｎ（Ｎ分の１）に分周されて形成された信号ｂが供給される。位相比較器３１は、基準発振器２９からの信号ａと分周器３４からの信号ｂとの位相を比較し、両方の位相が一致するように（両方の周波数が同じになるように）、ＶＣＯ３３を制御するための電圧制御信号を形成し、これをＬＰＦ３２を通じてＶＣＯ３３に供給する。
【００４３】
ここで、ＬＰＦ３２は位相比較器３１からの電圧制御信号の不要な高域成分を除去するものである。これにより、ＶＣＯ３３は、位相比較器３１からの電圧制御信号により制御され、基準発振器２９からの発振信号ａに基づくと共に、分周器３４の分周比に応じて形成される目的とする周波数の出力信号を発生させる。そして、上述したように、分周器３４の分周比は一定時間間隔毎（１ｍｓｅｃ毎）に所定値分ずつ（０．０１ずつ）変えられるように制御されるので、ＶＣＯ３３からの出力信号は、所定時間間隔毎に異なる周波数の信号となるようにされる。
【００４４】
これにより、受信機２において受信アンテナ２１を通じて受信され、アンプ回路２２、フィルタ回路２３を通じてミキサー回路２４に供給された信号は、ミキサー回路２４において、ＰＬＬ回路部３０からの一定時間毎に周波数が所定量分ずつ変えられる信号と混合される。ここで混合処理された信号は、アンプ回路２５において増幅された後、フィルタ回路２６を通じてＡ／Ｄ変換器２７に供給される。
【００４５】
フィルタ回路２６は、送信機１から送信される信号の周波数帯域に対応して、十分に狭い所定帯域の信号のみを通過させるものである。このように、フィルタ回路２６の通過帯域を十分に狭くすることによって、周波数分解能を上げることができる。ここで、周波数分解能は、デジタル制御において設定できる周波数の最小単位を意味する。したがって、フィルタ回路２６で絞り込んだ周波数帯域の信号のみを通過させることにより、信号の周波数を精度良く検出することができるようにされる。
【００４６】
そして、フィルタ回路２６からの信号は、Ａ／Ｄ変換器２７に供給され、ここでアナログ信号からデジタル信号に変換され、当該デジタル信号が制御部２８に供給される。したがって、制御部２８には、一定時間毎（上述の例では１ｍｓｅｃ毎）に異なるデジタル信号が供給される。制御部２８は、ＰＬＬ回路３０の分周器３４の分周比を一定時間毎に制御しているので、Ａ／Ｄ変換器２７からの信号が、どの分周比の時のものか対応付けて管理することができる。
【００４７】
換言すれば、制御部２８は、Ａ／Ｄ変換器２７からのデジタル信号が、ミキサー回路２４において混合されたＰＬＬ回路部３０からの信号の周波数がどの周波数のときのものかを対応付けて管理することができる。これにより、制御部２８においては、Ａ／Ｄ変換器２７からのデジタル信号の内、最も値が大きいデジタル信号に対応するＰＬＬ回路部３０からの出力信号の周波数を、送信機１から送信された送信信号の周波数として特定することができる。
【００４８】
すなわち、上述もしたように、ミキサー回路２４においては、受信アンテナ２１を通じて受信され、アンプ回路２２、フィルタ回路２３を通じて供給された送信機１からの送信信号と、ＰＬＬ回路部３０からの信号とが混合される。この場合、同調率が高ければ、ミキサー回路２４からの出力信号の信号レベルは高くなり、逆に同調率が低ければミキサー回路２４からの出力信号の信号レベルは低くなる。そして、送信機１からの送信信号は、無変調信号であるので、ＰＬＬ回路部３０からの信号と混合した後にＡ／Ｄ変換することにより、受信信号強度に応じた信号レベルを示すデジタル信号に変換される。したがって、制御部２８において、最も受信信号強度が強い信号を受信したときのＰＬＬ回路部３０からの出力信号の周波数を、送信機１からの送信信号の周波数として特定することができるのである。
【００４９】
なお、ここでは説明を簡単にするため、送信機１からの送信信号が、２５℃で１００．１ＭＨｚの周波数の信号である場合を例にして説明した。しかし、複数の送信機１を用いて複数個所の温度を検出する場合であっても、複数の送信機１毎に混合する信号の周波数範囲を適切に制御することによって、複数の送信機１毎に、その近傍の温度を適切に検出することができる。すなわち、複数の送信機１を用いる場合であっても、各送信機１毎に、いわゆるサーチ処理（スキャニング処理）する周波数範囲を異ならせるだけで、送信機１毎に特別に異なる処理を行う必要は無い。
【００５０】
［複数個所の温度を検出する場合の具体例］
次に、図１を用いて説明した構成を有する複数の送信機１と、図３を用いて説明した構成を有する受信機２とにより構成される無線送受信システムにおいて行われる複数個所の温度情報の検出処理について具体的に説明する。ここでは、図１に示した構成を有する送信機１Ａ、１Ｂ、…のそれぞれを異なる箇所（場所）に設置し、そのそれぞれからの無変調信号を受信機２が受信して、送信機１Ａ、１Ｂ、…のそれぞれの近傍の温度を把握する場合の例について説明する。
【００５１】
図４は、この例の送信機１Ａ、１Ｂ、…から送信される送信信号と、受信機２における処理の内容を説明するための図である。この例の場合、送信機１Ａ、１Ｂ、…のそれぞれから送信される送信信号は、いわゆる４３０ＭＨｚ帯近傍の信号とされる。
【００５２】
そして、この例の場合、図４（Ａ）に示すように、送信機１Ａは２５℃で４２９．５ＭＨｚの送信用の信号を送信するように分周器１３４の分周比が設定されたものとする。したがって、分かりやすく説明すれば、送信機１Ａの基準発振器１１が、例えば１００ｋＨｚの発振周波数のものであるとすると、分周器１３４の分周比は１／４２９５となる。そして、この例では、送信機１Ａは、４２９．５０８ＭＨｚの送信用の信号を形成して送信しているものとする。
【００５３】
また、図４（Ａ）に示すように、送信機１Ｂは２５℃で４２９．４ＭＨｚの送信用の信号を送信するように分周器１３４の分周比が設定されたものである。したがって、分かりやすく説明すれば、送信機１Ａの基準発振器１１が、例えば１００ｋＨｚの発振周波数のものであるとすると、分周器１３４の分周比は１／４２９４となる。そして、この例では、送信機１Ｂは、４２９．４０３ＭＨｚの送信用の信号を形成して送信しているものとする。なお、この例において、送信機１Ａ、１Ｂ、…のそれぞれは、−２５℃〜＋６５℃の温度変化に対応して、発振周波数は±０．０１ＭＨｚの範囲内で変化するものである。
【００５４】
これに対して、受信機２においては、後述もするように初期導入時において、各送信機のそれぞれ毎に送信信号の受信処理を行うことによって、送信機毎の送信信号の周波数範囲や分周比などの周波数情報を把握するようにする周波数情報把握処理を行っている。これにより、受信機２は、複数の送信機のそれぞれ毎に、用いられる送信信号の周波数範囲や分周比を予め把握し、これを管理することができるようにしている。
【００５５】
そして、受信機２においては、複数の送信機のそれぞれ毎に、複数の送信機のそれぞれに応じた周波数範囲においてＲＳＳＩ（受信信号強度）のサーチ処理を行うことによって、送信機毎に送信信号の周波数を特定する。この特定した送信信号の周波数と、送信機の基準発振器１１の周波数温度特性とに基づいて、送信機毎に、各送信機近傍の温度を検出するようにしている。以下に説明する例において受信機２は、各送信機における周囲の温度が２５℃における送信信号の周波数を中心にして、前後に０．００１ＭＨｚ単位に１０ステップずつの範囲でサーチ処理を行うものとする。
【００５６】
具体的には、図４（Ｂ）に示すように、受信機２は、まず送信機１Ａの周囲の温度を検出する処理を行なう。図４（Ａ）を用いて上述したように、送信機１Ａは、２５℃において４２９．５ＭＨｚの送信信号を送信するものである。このため、受信機２は、４２９．４９０ＭＨｚから０．００１ＭＨｚずつ４２９．５１０ＭＨｚまで、ＰＬＬ回路部３０からの出力信号ｃの周波数を０．１ｍｓｅｃ毎に変化させて、ＲＳＳＩを測定するようにし、当該０．１ｍｓｅｃ間におけるＲＳＳＩの平均値を順次に求め、制御部２８のＲＡＭ２８３に一時記憶する。
【００５７】
この場合、各０．１ｍｓｅｃ間におけるＲＳＳＩの平均値は、その時のＰＬＬ回路部３０からの出力信号の周波数と対応付けて管理される。そして、最もＲＳＳＩの平均値（ＲＳＳＩ値）が大きいときの、ＰＬＬ回路部３０からの出力信号の周波数（ＰＬＬ設定周波数）が、送信機１Ａの送信信号の周波数として特定される。そして、上述もしたように、送信機１Ａの特定した送信信号の周波数と、制御部２８の不揮発性メモリ２８３に記憶保持されている送信機１Ａの基準発振器１１の周波数温度特性とに基づいて、送信機１Ａ近傍の温度を特定する。この例の場合には、特定した送信信号の周波数と送信機の基準発振器１１の周波数温度特性とに基づいて、送信機１Ａ近傍の温度は例えば５５℃であると検出することができる。
【００５８】
なお、不揮発性メモリ２８３に記憶保持されている送信機１Ａの基準発振器１１の周波数温度特性が、基準発振器１１における周波数レベル（ｋＨｚレベル）の特性である場合には、制御部２８は、特定した送信機１の送信信号の周波数に分周比を掛け算する。すなわち、特定した送信信号の周波数×（１／４２９５）なる演算を行うことにより、特定した周波数を基準発振器１１における周波数レベルのものに変換し、これと不揮発性メモリ２８３に保持している基準発振器１１の周波数温度特性とを付け合せることにより、送信機１近傍の温度を求めることができる。
【００５９】
もちろん、不揮発性メモリ２８３に記憶保持されている送信機１Ａの基準発振器１１の周波数温度特性が、送信信号の周波数レベル（ＭＨｚレベル）の特性である場合には、特定した周波数をそのまま用いて、当該周波数温度特性を参照することにより、送信機１Ａ近傍の温度を検知することができる。しかしこの場合、周波数温度特性は、複数の送信機のそれぞれ毎に、送信信号の周波数レベル（ＭＨｚレベル）の周波数温度特性を示す情報を不揮発性メモリ２８３に用意しておく必要がある。
【００６０】
そして、受信機２は、上述したようにして、送信機１Ａ近傍の温度を検出した後、次の送信機１Ｂの周囲の温度を検出する処理を行なう。図４（Ａ）を用いて上述したように、送信機１Ｂは、２５℃において４２９．４ＭＨｚの送信信号を送信するものである。このため、受信機２は、４２９．３９０ＭＨｚから０．００１ＭＨｚずつ４２９．４１０ＭＨｚまで、ＰＬＬ回路部３０からの出力信号ｃの周波数を０．１ｍｓｅｃ毎に変化させて、ＲＳＳＩを測定するようにし、当該０．１ｍｓｅｃ間におけるＲＳＳＩの平均値を順次に求め、上述もしたように制御部２８のＲＡＭ２８３に一時記憶する。
【００６１】
すなわち、各０．１ｍｓｅｃ間におけるＲＳＳＩの平均値は、その時のＰＬＬ回路部３０からの出力信号の周波数と対応付けて管理される。そして、上述した送信機１Ａ近傍の温度を検出場合と同様に、最もＲＳＳＩの平均値（ＲＳＳＩ値）が大きいときの、ＰＬＬ回路部３０からの出力信号の周波数（ＰＬＬ設定周波数）が、送信機１Ｂの送信信号の周波数として特定される。そして、送信機１Ｂの特定した送信信号の周波数と、制御部２８の不揮発性メモリ２８３に記憶保持されている送信機１Ｂの基準発振器１１の周波数温度特性とに基づいて、送信機１Ｂ近傍の温度を特定することができる。この例の場合には、特定した送信信号の周波数と送信機の基準発振器１１の周波数温度特性とに基づいて、送信機１Ｂ近傍の温度は例えば３７℃であると検出することができる。
【００６２】
更に、他の送信機１Ｃ、１Ｄ、…等が存在する場合には、上述した送信機１Ａ、１Ｂに対して行ったように、ＰＬＬ回路部３０において形成する出力信号ｃの周波数範囲を各送信機に応じて変えながら、ＲＳＳＩ値を検出するためのいわゆるサーチ処理を行うことにより、他の送信機１Ｃ、１Ｄ、…のそれぞれの近傍の温度を検出することができる。
【００６３】
［受信機２の動作のまとめ］
上述したように、送信機１は、図２において実線のグラフＡで示したような周波数温度特性を有する基準発振器１１からの発振信号に基づいて形成される送信用の信号を形成し、これを変調などすることなくそのまま送信するものである。これに対して、受信機２は、図４（Ｂ）を用いて説明したように、複数の送信機毎に周波数範囲を変えながら、受信した信号のＲＳＳＩ値のサーチ処理（スキャニング処理）を行う。そこで、この実施形態の受信機２の動作をより明確なものとするため、図６のフローチャートを参照しながら、受信機２において行われる送信機近傍の温度の検出処理についてまとめる。
【００６４】
ここでは、説明を簡単にするため、異なる場所に設置される複数の送信機１のそれぞれは、図１には図示しなかったが時計回路やカウンタ回路の機能により、所定の時間間隔毎に一定時間動作して送信信号を送信し、当該一定時間の動作後においては送信動作を休止して、次の動作時間を待つものとする。すなわち、複数の送信機１のそれぞれは、周期的に間歇動作するものであり、当該周期も各送信機間においてほぼ同一周期となっているものとする。このため、受信機２においては、常時、送信機１からの送信信号を受信するようにしており、送信機からの送信用の信号を受信した場合に、各送信機の近傍の温度検出処理を実行するものとする。また、以下においては、説明を簡単にするため、複数の送信機１のそれぞれを、送信機ＴＸｉとし、変数ｉにより異なる送信機を示すものとする。
【００６５】
図５は、受信機２において行われる送信機近傍の温度の検出処理を説明するためのフローチャートである。上述したように、受信機２の制御部２８は、常時、送信機１からの送信信号を受信するようにしており、送信機からの送信用の信号を受信した場合に、図５に示したフローチャートの処理を実行する。実際には、目的とする周波数帯域の信号を受信した場合に、図５に示す処理を実行することになる。
【００６６】
そして、受信機２の制御部２８は、まず、複数の送信機ＴＸｉを特定するための変数ｉに、値「１」を設定し、最初の送信機ＴＸ１を処理の対象とするようにする（ステップＳ１０１）。次に、制御部２８は、ＰＬＬ回路部３０の分周器３４を制御し、送信機ＴＸｉの初期周波数の信号をＶＣＯ３３から出力するように設定する（ステップＳ１０２）。そして、制御部２８は、所定時間（例えば、０．１ｍｓｅｃ）の間において受信信号強度（ＲＳＳＩ）を測定し、その平均値を不揮発性メモリ２８３に保持する（ステップＳ１０３）。この場合、測定したＲＳＳＩの平均値は、その時のＰＬＬ回路部３０からの出力信号の周波数と対応付けて保持される。
【００６７】
次に、制御部２８は、ＰＬＬ回路部３０の分周器３４を制御し、サーチの単位周波数（例えば、０．００１ＭＨｚ）だけ、ＰＬＬ回路部３０の設定周波数を変化させる（ステップＳ１０４）。この後、制御部２８は、所定時間（例えば、０．１ｍｓｅｃ）の間において受信信号強度（ＲＳＳＩ）を測定し、その平均値を不揮発性メモリ２８３に保持する（ステップＳ１０５）。この場合にも、測定したＲＳＳＩの平均値は、その時のＰＬＬ回路部３０からの出力信号の周波数と対応付けて保持される。
【００６８】
そして、制御部２８は、送信機ＴＸｉに対する所定の周波数範囲（サーチ範囲）においての、ＲＳＳＩの測定を終了したか否かを判断する（ステップＳ１０６）。このステップＳ１０６の判断処理は、図４（Ｂ）を用いて説明した送信機１Ａの例の場合であれば、４２９．４９０ＭＨｚ〜４２９．５１０ＭＨｚまでの間において、ＲＳＳＩの測定処理が完了したか否かを判断する処理である。ステップＳ１０６の判断処理において、送信機ＴＸｉに対する所定の周波数範囲（サーチ範囲）においての、ＲＳＳＩの測定を終了していないと判断したときには、ステップＳ１０４からの処理を繰り返すようにする。
【００６９】
ステップＳ１０６の判断処理において、送信機ＴＸｉに対する所定の周波数範囲（サーチ範囲）においての、ＲＳＳＩの測定を終了したと判断したときには、最もＲＳＳＩの平均値の大きかったＰＬＬ設定周波数を検出する（ステップＳ１０７）。このステップＳ１０７の処理は、当該サーチ範囲において測定したＲＳＳＩの平均値の内、最も大きなＲＳＳＩの平均値に対応付けられたＰＬＬ回路部３０からの出力信号の周波数を、送信機ＴＸｉの送信信号の周波数として検出する処理である。
【００７０】
そして、制御部２８は、ステップＳ１０７において検出した送信機ＴＸｉの送信信号の周波数と、不揮発性メモリ２８３に保持している送信機の基準発振器１１の周波数温度特性とに基づいて、送信機ＴＸｉ近傍の温度を算出（特定）する（ステップＳ１０８）。この後、制御部２８は、全ての送信機について送信機近傍の温度を算出し終えたか否かを判断する（ステップＳ１０９）。すなわち、受信機２の制御部２８は、いくつの送信機からの信号を受信すべきかを予め把握しているので、その把握している台数分の送信機についての処理を終了したか否かを確認するための処理が、ステップＳ１０９の判断処理である。
【００７１】
ステップＳ１０９の判断処理において、全ての送信機について送信機近傍の温度を算出し終えていないと判断したときには、送信機を特定するための変数ｉに値「１」を加算して（ステップＳ１１０）、ステップＳ１０２からの処理を繰り返すようにする。ステップＳ１０９の判断処理において、全ての送信機について送信機近傍の温度を算出し終えたと判断したときには、制御部２８は、この図５に示す処理を終了する。
【００７２】
このように、受信機２は、送信機ＴＸｉからの送信信号を受信した場合に、図５に示した処理を実行することにより、各送信機ＴＸｉの近傍の温度を検知することができるようにされる。
【００７３】
なお、ここでは、複数の送信機１のそれぞれは、周期的に間歇動作するものであり、当該周期も複数の送信機間でほぼ同一周期となっているものとして説明した。しかし、これに限るものではない。複数の送信機１のそれぞれから常時、基準発振器１１の発振信号に応じて形成される送信信号を送信する。そして、受信機２においては、受信機２が必要とする場合において能動的に図５に示した処理を実行し、複数の送信機１のそれぞれの近傍の温度を検出するようにすることも可能である。
【００７４】
［変形例］
［送信機１の変形例］
上述した実施形態においては、送信機１Ａ、１Ｂ、…というように、複数の送信機１を用いる場合、各送信機の構成は同じであるものとしたので、それぞれの送信機の基準発振器１１も同じ周波数温度特性を有するものとして説明した。しかし、これに限るものではない。例えば、異なる場所に設置される送信機毎に、基準発振器を図２の実線のグラフＡで示した特性を有するが、発振周波数の異なる基準発振器を用いるようにすることもできる。この場合には、各送信機の基準発振器の発振周波数が温度によって変化する周波数範囲が重なり合わない基準発振器を用いるようにすることによって、ＰＬＬ回路部１２の分周比を送信機毎に変えなくてもよいようにすることができる。
【００７５】
なお、各送信機で用いられる基準発振器１１の周波数温度特性は、温度と周波数とが１対１に対応する種々の特性のものを用いることができることは言うまでもない。
【００７６】
［受信機２の変形例］
上述した実施形態の受信機２においては、受信信号強度（ＲＳＳＩ）の所定時間当たりの平均値を用いることにより、送信機１からの送信信号の周波数を特定するようにした。しかし、これに限るものではない。例えば、ＰＬＬ回路部３０で形成される信号とのミキサー回路２４での混合処理（ミキシング処理）により受信した信号をダウンコンバートしてＩＦ（Intermediate Frequency）信号を形成するようにする。そして、この形成したＩＦ信号（低周波の信号）の周波数をカウントすることにより得た情報に基づいて、送信機からの送信信号の周波数を特定することも可能である。
【００７７】
この場合、受信機２のＰＬＬ回路部３０は、受信した信号をＩＦ信号に変換するための混合用信号を形成するものとなる。また、この場合、図３に示した受信機２におけるＡ／Ｄ変換器２７に替えて、ＩＦ信号の周波数をカウントしてＩＦ信号の周波数を検出し、これをデジタル信号に変化して制御部２８に供給するカウント部を設けることになる。
【００７８】
そして、制御部２８においては、当該カウント部からのＩＦ信号の周波数に基づいて、受信した送信機１からの送信信号の周波数を検出することになる。したがって、この場合、制御部２８の不揮発性メモリ２８３には、ＩＦ信号と、ダウンコンバート前の受信した信号の周波数とを対応付けたテーブルを予め用意しておくことになる。
【００７９】
［送信機１と受信機２に共通する変形例］
上述した実施形態において、送信機１のＰＬＬ回路部１２は分周器１２４を備え、受信機２のＰＬＬ回路部３０は分周器３４を備えるものとして説明した。しかし、これに限るものではない。考え方として、分周器に替えていわゆる逓倍器を用いて、目的とする周波数の出力信号を形成するＰＬＬ回路を構成することもできる。すなわち、ＶＣＯからの出力信号の周波数を逓倍（Ｎ倍）して、基準発振器の発振周波数よりも低い周波数の信号をＰＬＬ回路部によって形成することも可能である。
【００８０】
例えば、送信機１において、基準発振器１１が十分に高い周波数の信号を発振させるものである場合には、ＰＬＬ回路部１２において、ＶＣＯ１２３からの信号を逓倍することにより、目的とする周波数の出力信号を形成するようにすることも可能である。同様に、受信機２において、基準発振器２９が十分に高い周波数の信号を発振させるものである場合には、ＰＬＬ回路部３０において、ＶＣＯ３３からの信号を逓倍することにより、目的とする周波数の出力信号を形成するようにすることも可能である。
【００８１】
［実施形態の効果］
上述した実施形態から分かるように、送信機１においては変調を必要とせず、このため受信機２においては復調を必要としないので、送信機１、受信機２の回路構成を簡略化することができる。また、送信機１には温度センサや電文生成回路を搭載しなくても済むので、小面積（省スペース）、低消費電力、低コストのいずれをも達成することができる。また、送信機１、受信機２ともその回路構成を単純化することができるので、送信機１側の温度情報を精度良く安定に送受することができる。そして、上述した実施形態から分かるように、この発明は、多数箇所の温度を計測して空調管理を行うようなシステムに対して特に有効である。
【００８２】
［この発明のシステムと方法］
なお、上述した実施形態の説明からも分かるように、上述した実施形態の少なくとも１台以上の送信機１と受信機２とからなるシステムが、この発明による無線送受信システムに対応するものである。そして、上述した実施形態の少なくとも１台以上の送信機１と受信機２とからなるシステムにおいて行われる送信機近傍の温度の検出方法が、この発明のシステムで用いられる温度情報送受信方法となる。
【００８３】
具体的には、この発明のシステムで用いられる温度情報送受信方法は、送信機１から、周囲の温度の変化に対応して発振周波数が変化し、周囲の温度と発振周波数とが１対１に対応する特性を有する基準発振器１１で発振された周波数の信号に基づいて形成される信号を送信し、受信機２において送信機１からの送信信号を受信し、この受信した信号の周波数を検出し、この検出した周波数と送信側の基準発振器１１の周波数温度特性とに基づいて、送信側の周囲の温度を特定するものとなる。
【００８４】
［その他］
そして、上述した実施形態においては、送信機１において、基準発振器１１が無線送信機における発振手段としての機能を実現している。また、送信機１のＰＬＬ回路部１２が形成手段としての機能を実現している。また、主に送信アンテナ１５が無線送信機における送信手段としての機能を実現している。
【００８５】
また、上述した受信機２において、主に受信アンテナ２１が無線受信機における受信手段としての機能を実現している。また、受信機２において、ＰＬＬ回路部３０とミキサー回路２４とＡ／Ｄ変換器２７と制御部２８とからなる部分が無線受信機における検出手段としての機能を実現している。また、受信機２において、制御部２８が無線受信機における特定手段としての機能を実現している。
【００８６】
そして、受信信号強度（ＲＳＳＩ）を用いて受信した信号の周波数を検出する検出手段を構成する部分として、受信機２のＰＬＬ回路部３０がＰＬＬ回路部の機能を実現している。また、受信機２のミキサー回路２４が混合回路部としての機能を実現している。また、受信機２のＡ／Ｄ変換器２７が信号強度検出部としての機能を実現している。また、受信機２の制御部２８が制御部および検出部の機能を実現している。
【００８７】
また、受信機２の変形例として説明したように、ダウンコンバートして形成するＩＦ信号の周波数をカウントすることにより得た情報に基づいて、送信機からの送信信号の周波数を検出する検出手段を構成することもできる。この場合の検出手段を構成する部分として、受信機２のＰＬＬ回路部３０が信号形成部の機能を実現することになる。また、受信機２のミキサー回路２４が混合回路部としての機能を実現することになる。また、受信機２のＡ／Ｄ変換器２７に替えて設けられるカウント部がカウント部としての機能を実現することになる。また、受信機２の制御部２８が検出部の機能を実現することになる。
【００８８】
なお、上述もしたように、少なくとも１台以上の送信機１と受信機２とからなるシステムの初期導入時（システムの始動時）には、受信機２に対して、１以上の送信機１のそれぞれの送信信号の周波数情報（例えば、周波数範囲など）を認識させる必要がある。このため、初期導入時において、１以上の送信機１のそれぞれ毎に、受信機２において送信信号の受信処理を行うようにし、１以上の送信機１毎の周波数情報を特定すると共に、当該１以上の送信機１毎の周波数情報と設置位置とを対応付ける周波数情報把握処理を行う。
【００８９】
しかし、従来のＩＤにより個別認識を用いる場合であっても、いわゆる縁組作業（互いのＩＤを交換し、通信設定を行う作業）が必要であり、この発明のシステムにおいて、初期導入時に行う周波数情報把握処理は、従来システムにおける縁組作業に相当するものであり、この発明のシステムにおいて、従来のシステムに比べて特別に必要な処理が増えるものではない。
【００９０】
また、上述した実施形態では、基準発振器１１、２９の発振周波数や、分周器１２４、３４の分周比、送信機１からの送信用の信号の周波数、受信機２におけるＲＳＳＩのサーチ範囲（周波数範囲）等について具体例を示して説明した。しかし、示した具体例はあくまでも一例であり、想定される使用環境等に応じて、上述した基準発振器の発振周波数、分周器の分周比、送信用の信号の周波数、ＲＳＳＩのサーチ範囲等は、適宜のものとすることができる。また、図１、図３に示した分周器１２４、分周器３４で用いる分周比は整数であってもよいし、非整数であってもよい。
【符号の説明】
【００９１】
１…送信機、１１…基準発振器、１２…ＰＬＬ回路部、１２１…位相比較器、１２２…ＬＰＦ、１２３…ＶＣＯ、１２４…分周器、１３…アンプ回路、１４…フィルタ回路、１５…送信アンテナ、２…受信機、２１…受信アンテナ、２２…アンプ回路、２３…フィルタ回路、２４…ミキサー回路、２５…アンプ回路、２６…フィルタ回路、２７…Ａ／Ｄ変換器、２８…ＣＰＵ、２９…基準発振器、３０…ＰＬＬ回路、３１…位相比較回路、３２…ＬＰＦ、３３…ＶＣＯ、３４…分周器
【図１】
0005552824.tif 000002
【図２】
0005552824.tif 000003
【図３】
0005552824.tif 000004
【図４】
0005552824.tif 000005
【図５】
0005552824.tif 000006